(57)【特許請求の範囲】
【請求項１】
バルコニー床梁の外側面に柱の下端部が取付けられ、柱の下端部の外側に柱の下端部の取付部を覆う化粧カバーが設けられているバルコニーにおいて、柱の外面の下端部の角部が凹入されていることを特徴とするバルコニー。
【発明の詳細な説明】
【０００１】
【発明の属する技術分野】
本発明は、バルコニーに関するものである。
【０００２】
【従来の技術】
近時、例えば、特開平３−５５３６号公報等に記載されているように、建物の２階にバルコニーが多用されている。
そして、これらのバルコニーでは、バルコニー床梁の外側面に柱の下端部が取付けられ、柱の下端部の外側に柱の下端部の取付部を覆う化粧カバーが設けられている。
【０００３】
従来、図５、６に示すように、柱（イ）の下端部の外側に取付けられた溝形化粧カバー（ロ）の中途部の凹入部（ハ）と柱（イ）の下端部とが当接しないように、柱（イ）をバルコニー床梁（ニ）の外側面の腕金（ホ）に取付けるに際しては、バルコニー床梁（ニ）の外側面に取付けられた腕金（ホ）に角パイプ状ピース（へ）を取付け、角パイプ状ピース（ヘ）の外側面の下端部角部を斜めに切断して斜辺部（ト）を設け、短い角パイプ状ピース（ヘ）の上端に角パイプ状の柱（イ）の下端部を溶接（チ）していた。
尚、上記の作業は現場で行うこともあるが、現場での手間を省くため、予め工場等で加工する場合もある。
【０００４】
【発明が解決しようとする課題】
しかしながら、叙上のように、短い角パイプ状ピース（ヘ）をバルコニー床梁（ニ）の外側面に取付けられた腕金（ホ）に取付ける工程、短い角パイプ状ピース（ヘ）の外側面の下端部の角部を斜めに切断して斜辺部（ト）を設ける工程、角パイプ状の柱（イ）の下端部を短い角パイプ状ピース（ヘ）の上端に溶接（チ）する工程とを必要とし、バルコニー床梁３の外側面に柱１を立設するのに工数がかかり、煩瑣であった。
【０００５】
尚、図６において、（リ）は側壁パネルの内装板であり、アルミニウム薄板とポリエチレン薄板との複合板で構成され、（ヌ）はパネルの外装板であり、内装板（リ）と同様にアルミニウム薄板とポリエチレン薄板との複合板で構成されている。（ル）は側壁パネルのアルミニウム製枠、（オ）はコーナーガード、（ワ）はＦＲＰ製防水パン、（カ）は化粧カバー固定アングル、（ヨ）は化粧カバー固定アングル（カ）を柱（イ）に取付けるための皿ビス、（タ）は化粧カバー（ロ）を化粧カバー固定アングル（カ）に取付けるための皿ビス、（レ）はアルミニウム製裏天井である。
【０００６】
本発明は、このような従来のバルコニーにおける問題点に着目してなされたものであり、その目的とするところは、従来の問題点を解決し、柱の立設に多大の工数のかからないバルコニーを提供するにある。
【０００７】
【課題を解決するための手段】
上記目的を達成するために、本発明バルコニーは、
バルコニー床梁の外側面に柱の下端部が取付けられ、柱の下端部の外側に柱の下端部の取付部を覆う化粧カバーが設けられているバルコニーにおいて、柱の外面の下端部の角部が凹入されていることを特徴とするものである。
【０００８】
本発明において、バルコニー床梁、柱、化粧カバーの材質としては、特に限定されるものではないが、例えば、鋼、ステンレス鋼、アルミニウムのような金属や木材や硬質塩化ビニル樹脂、ＦＲＰ等の合成樹脂等が使用できる。
【０００９】
【作用】
本発明バルコニーにおいては、柱の外面の下端部の角部が凹入されているので、予め、工場等において柱の外面の下端部の角部を凹入したものを作成しておけば、現場においては、柱をバルコニー床梁の外側面に取付け、その外側に化粧カバーを取付けることにより化粧カバーの中途部の凹入部が柱の下端部に当たることがなく、施工に多大の工数を必要としない。
【００１０】
【発明の実施の形態】
次に、本発明の実施の形態を図面を参照しながら説明する。
図１は本発明バルコニーの一例を示す分解斜視図である。
図１において、１は防錆塗装されたＣ型鋼製の床梁であり、床梁１は桁側の床梁１１と妻側の床梁１２とにより矩形枠状に組み立てられている。１３は平行な桁側の床梁１、１の間に架設された鋼製角パイプからなる補強小梁、１４は妻側の床梁１２の外側面に取付けられた鋼板製腕金である。
【００１１】
２はバルコニーの前面の両側に設けられるパネルであり、パネル２はアルミニウム薄板とポリエチレン薄板との複合板が前後に間隔を隔てて設けられ、外側のアルミニウム薄板の表面にリシン吹きつけ塗装されて構成されている。３は前面パネル２、２の間に設けられる化粧パネルであり、化粧パネル３はアルミニウム製枠３１の内側にアルミニウム製網３２が設けられている。
【００１２】
前面パネル２、２の内部には鋼製角パイプ状柱２１が立設され、角パイプ状柱２１の下端前面角部は内側に変形されることにより凹入部２２が設けられている。柱２１の下端後面には、図２に示すように、天板２３１及び縦板２３２からなる断面逆Ｌ形の鋼製取付板２３が設けられ、取付板２３がステンレス鋼製ボルト２４により桁側の床梁１１の上面及び前面に取付けられるようになっている。
【００１３】
５は前面パネル２、２及び化粧パネル３の下方に設けられるアルミニウム製の溝形化粧カバーであり、化粧カバー５が前面パネル２、２及び化粧パネル３の下方に取付けられることにより桁側の床梁１１及び柱２１の下端が隠蔽され化粧される。化粧カバー５の中途部には凹入部５１が設けられているが、柱２１の下端部には凹入部２２が設けられているので、化粧カバー５の凹入部５１が柱２１の下端部には当接しない。
【００１４】
５２は化粧カバー５の天板部５３に設けられた凹欠部であり、化粧カバー５が前面パネル２、２及び化粧パネル３の下方に取付けられる際には柱２１の下端部が凹欠部５２内に挿入嵌合されるようになっている。前面パネル２、２の下方の化粧カバー５、５は矢印ａで示すように一方の化粧カバー５の先端の差し口５４が他方の化粧カバー５の端部内に挿入嵌合される。
【００１５】
４、４はバルコニーの側面に設けられる側面パネルであり、パネル４、４の内部には鋼製角パイプ状柱４１が立設され、角パイプ状柱４１の下端側面角部は内部に変形されることにより凹入部４２が設けられている。
【００１６】
柱４１の下端側面には、図３、４に示すように、鋼製取付板４３が設けられ、取付板４３がステンレス鋼製ボルト４４により妻側の床梁１２の側面に取付けられた腕金１４にに取付けられるようになっている。
【００１７】
６は側面パネル４の下方に設けられるアルミニウム製の溝形化粧カバーであり、化粧カバー６が側面パネル４の下方に取付けられることにより腕金１４及び柱４１の下端が隠蔽され化粧される。化粧カバー６の中途部には凹入部６１が設けられているが、柱４１の下端部には凹入部４２が設けられているので、化粧カバー６の凹入部６１が柱４１の下端部には当接しない。６２は化粧カバー６の天板部６３に設けられた凹欠部であり、化粧カバー６が側面パネル４の下方に取付けられる際には柱４１の下端部が凹欠部６２内に挿入嵌合されるようになっている。側面パネル４の下方の化粧カバー６には矢印ｂで示すように前面パネル２の下方の化粧カバー５の屈曲部の先端の差し口５５が挿入嵌合される。
【００１８】
２５は前面パネル２及び化粧パネル３の上端に取付けられるアルミニウム製笠木、４５は側面パネル４の上端に取付けられるアルミニウム製笠木であり、それぞれ化粧カバー５、６と同様に笠木２５同士は矢印ｃで示すように挿入接合され、前面パネル２の上方の笠木２５と側面パネル４の上方の笠木４５とは接合される。尚、図４において、７は建物の壁面である。
【００１９】
以上、本発明の実施の形態を図により説明したが、本発明の具体的な構成は図示の実施の形態に限定されるものではなく、本発明の要旨を逸脱しない範囲の設計変更は本発明に含まれる。
【００２０】
例えば、図示の実施の形態においては、妻側の床梁１２の側面に腕金１４が設けられ、腕金１４に柱４１の下端が取付けられているが、妻側の床梁１２の側面に腕金１４を設けることなく妻側の床梁１２の側面に柱４１の下端を直接に取付けるようにしてもよい。
【００２１】
又、笠木２５、４５の上方に手摺を設けるようにしてもよい。
【００２２】
【発明の効果】
本発明バルコニーにおいては、柱の外面の下端部の角部が凹入されているので、予め、工場等において柱の外面の下端部の角部を凹入したものを作成しておけば、現場においては、柱をバルコニー床梁の外側面に取付け、その外側に化粧カバーを取付けることにより化粧カバーの中途部の凹入部が柱の下端部に当たることがなく、施工に多大の工数を必要としない。
【図面の簡単な説明】
【図１】本発明バルコニーの一例を示す分解斜視図。
【図２】図１の円Ａで囲む箇所の拡大斜視図。
【図３】図１の円Ｂで囲む箇所の拡大斜視図。
【図４】図１の円Ｂが囲む箇所の分解拡大斜視図。
【図５】従来のバルコニーの要部拡大斜視図。
【図６】従来のバルコニーの要部拡大断面図。
【符号の説明】
１              床梁
１１            桁側の床梁
１２            妻側の床梁
１３            小梁
１４            腕金
２              前面パネル
２１、４１      柱
２２、４２      凹入部
２３、４３      取付板
２４            ボルト
３              化粧パネル
４              側面パネル
５、６          化粧カバー
５１、６１      凹入部
【図１】
0003542865.tif 000002
【図２】
0003542865.tif 000003
【図３】
0003542865.tif 000004
【図４】
0003542865.tif 000005
【図５】
0003542865.tif 000006
【図６】
0003542865.tif 000007